(57)【要約】【課題】２本の管が完全に接続されたかどうかをより確実に検知できる管接続構造、管接続具、カバー部材及び水道用装置を提供する。【解決手段】管接続構造をなすための管接続具１は、配管１３１Ａ，１３１Ｂの端部に取り付けられ、導入管１１２Ａ，１１２Ｂの端部を受け入れて保持する継手部２と、継手部２に対して着脱されるカバー部３と、カバー部３内に設けられ、継手部２に対するカバー部３の装着に伴って継手部２内に進入し、配管１３１Ａ，１３１Ｂと導入管１１２Ａ，１１２Ｂとの接続が不完全である場合に、カバー部３の装着の途中で導入管１１２Ａ，１１２Ｂに突き当たる接続確認用の凸部３ｅと、継手部２に対して着脱されるカバー部３の動きを許容しつつ、カバー部３と継手部２とを繋ぐ連結部４と、を備える。【選択図】図１８
2014185745.tif 000002
【特許請求の範囲】
【請求項１】
２本の管の接続構造であって、
第１の前記管の端部に取り付けられ、第２の前記管の端部を受け入れて保持する継手部と、
前記継手部に対して着脱されるカバー部と、
前記カバー部内に設けられ、前記継手部に対する前記カバー部の装着に伴って前記継手部内に進入し、前記２本の管の接続が不完全である場合に、前記カバー部の装着の途中で前記第２の管に突き当たる接続確認用の凸部と、
前記継手部に対して着脱される前記カバー部の動きを許容しつつ、前記カバー部と前記継手部とを繋ぐ連結部と、を備える管接続構造。
【請求項２】
前記カバー部は、前記第２の管側から前記継手部に装着され、
前記連結部は、前記カバー部及び前記継手部の一方に設けられ他方側に延出するストラップと、前記カバー部及び前記継手部の他方において前記ストラップを受け入れる受入孔とを有し、前記受入孔に対する前記ストラップの出入により前記カバー部の動きを許容する、請求項１記載の管接続構造。
【請求項３】
前記カバー部及び前記継手部の他方は、前記受入孔に挿通された前記ストラップの収容室を有する、請求項２記載の管接続構造。
【請求項４】
前記ストラップの先端部には、前記受入孔に挿通された状態で前記受入孔の周縁部に係合する爪部が設けられている、請求項２又は３記載の管接続構造。
【請求項５】
前記ストラップは帯状を呈し、
前記ストラップの一方の面には、幅方向の両縁に沿う２本の隆起部が設けられており、
前記爪部は、前記ストラップの他方の面に設けられ前記２本の隆起部の間に位置している、請求項４記載の管接続構造。
【請求項６】
前記ストラップに対する前記爪部の突出高さは、前記ストラップの先端側へ向かうに従って小さくなっている、請求項４又は５記載の管接続構造。
【請求項７】
請求項１〜６のいずれか一項記載の管接続構造をなすための管接続具であって、前記継手部と、前記カバー部と、前記凸部と、前記連結部とを備える管接続具。
【請求項８】
請求項１〜６のいずれか一項記載の管接続構造の前記カバー部として用いられるカバー部材。
【請求項９】
請求項１〜６のいずれか一項記載の管接続構造を備える水道用装置。
【発明の詳細な説明】
【技術分野】
【０００１】
本発明は、管接続構造、管接続具、カバー部材及び水道用装置に関する。
【背景技術】
【０００２】
水栓装置等の水道用装置は、供給配管に着脱される接続構造を備えている。例えば特許文献１には、水栓装置に湯水を導入する導入管と、湯水の供給配管との接続構造が開示されている。この接続構造は、継手部とカバー部とを有する。継手部は、供給配管の端部に取り付けられ、導入管の端部を受け入れて保持する。カバー部は、継手部に対して着脱される。カバー部内には、接続確認用の凸部が設けられている。この凸部は、継手部に対するカバー部の装着に伴って継手部内に進入し、導入管と供給配管との接続が不完全である場合に、カバー部の装着の途中で導入管に突き当たる。これにより、導入管と供給配管とが完全に接続されたかどうかを検知できる。
【先行技術文献】
【特許文献】
【０００３】
【特許文献１】特開２０１０−２３００７３号公報
【発明の概要】
【発明が解決しようとする課題】
【０００４】
しかしながら、上述した接続構造において、カバー部を継手部に装着し忘れた場合には、導入管と供給配管とが完全に接続されたかどうかを検知できない。
【０００５】
そこで本発明は、２本の管が完全に接続されたかどうかをより確実に検知できる管接続構造、管接続具、カバー部材及び水道用装置を提供することを目的とする。
【課題を解決するための手段】
【０００６】
本発明に係る管接続構造は、２本の管の接続構造であって、第１の管の端部に取り付けられ、第２の管の端部を受け入れて保持する継手部と、継手部に対して着脱されるカバー部と、カバー部内に設けられ、継手部に対するカバー部の装着に伴って継手部内に進入し、２本の管の接続が不完全である場合に、カバー部の装着の途中で第２の管に突き当たる接続確認用の凸部と、継手部に対して着脱されるカバー部の動きを許容しつつ、カバー部と継手部とを繋ぐ連結部と、を備える。
【０００７】
この管接続構造では、継手部内に第２の管の端部を挿入した後にカバー部を継手部に装着することで、２本の管が完全に接続されたかどうかを検知できる。すなわち、カバー部を装着する途中で接続確認用の凸部が第２の管に突き当たったときに、２本の管の接続が不完全であることを検知できる。このため、カバー部を装着する工程を経ることで、２本の管を確実に接続できる。
【０００８】
カバー部と継手部とは連結部により繋がれている。連結部は、継手部に対して着脱されるカバー部の動きを許容するので、カバー部と継手部とを切り離すことなくカバー部の着脱を行うことができる。これにより、カバー部が常に継手部の近くに配置されるのでカバー部が確実に作業者の視野に入り、カバー部の装着忘れが防止される。従って、２本の管が完全に接続されたかどうかをより確実に検知できる。
【０００９】
カバー部は、第２の管側から継手部に装着され、連結部は、カバー部及び継手部の一方に設けられ他方側に延出するストラップと、カバー部及び継手部の他方においてストラップを受け入れる受入孔とを有し、受入孔に対するストラップの出入によりカバー部の動きを許容してもよい。この場合、カバー部を継手部に装着するときにストラップが受入部内に進入するので、カバー部と継手部との間におけるストラップの屈曲が防止される。このため、ストラップに妨げられることなくカバー部を装着できる。また、屈曲したストラップがカバー部及び継手部の外側に突出して邪魔になることを防止できる。
【００１０】
カバー部及び継手部の他方は、受入孔に挿通されたストラップの収容室を有してもよい。この場合、カバー部の装着後にストラップが邪魔になることをより確実に防止できる。
【００１１】
ストラップの先端部には、受入孔に挿通された状態で受入孔の周縁部に係合する爪部が設けられていてもよい。この場合、爪部と受入孔の周縁部との係合により、受入孔からのストラップの抜けを防止し、カバー部と継手部とが繋がった状態を確実に維持できる。
【００１２】
ストラップは帯状を呈し、ストラップの一方の面には、幅方向の両縁に沿う２本の隆起部が設けられており、爪部は、ストラップの他方の面に設けられ２本の隆起部の間に位置していてもよい。この場合、隆起部を設けることによりストラップが補強され、カバー部を継手部に装着するときにストラップの屈曲をより確実に防止できる。また、爪部の逆側には、２本の隆起部によって画された凹部が形成される。このため、カバー部と継手部とを繋ぐときに、ストラップを凹部側に変形させて爪部を凹部側に退避させることで爪部を受入孔に容易に挿入できる。
【００１３】
ストラップに対する爪部の突出高さは、ストラップの先端側へ向かうに従って小さくなっていてもよい。この場合、カバー部と継手部とを繋ぐときに、爪部を受入孔に更に容易に挿通できる。
【００１４】
本発明に係る管接続具は、上記管接続構造をなすための管接続具であって、上記継手部と、上記カバー部と、上記凸部と、上記連結部とを備える。本発明に係るカバー部材は、上記カバー部として用いられるカバー部材である。本発明に係る水道用装置は、上記管接続構造を備える水道用装置である。
【発明の効果】
【００１５】
本発明によれば、２本の管が完全に接続されたかどうかをより確実に検知できる。
【図面の簡単な説明】
【００１６】
【図１】本実施形態の管接続構造を備える水栓装置の斜視図である。
【図２】本実施形態の管接続構造の斜視図である。
【図３】図２中のＩＩＩ−ＩＩＩ線に沿う断面図である。
【図４】図２中のカバー部、ファスナーケース及びファスナーグリップを省略して示す斜視図である。
【図５】図２中のカバー部、ファスナー及びファスナーグリップを省略して示す斜視図である。
【図６】図５中のファスナーケースを開いた状態を示す斜視図である。
【図７】図２中のカバー部を省略して示す斜視図である。
【図８】図７中のファスナー及びファスナーグリップをずらした状態を示す斜視図である。
【図９】図８中のファスナーケースを省略して示す斜視図である。
【図１０】図８中のＸ−Ｘ線に沿う断面図である。
【図１１】カバー部と継手部とを分離した状態を示す斜視図である。
【図１２】カバー部の斜視図である。
【図１３】カバー部の下方からの斜視図である。
【図１４】図２中のＸＩＶ−ＸＩＶ線に沿う断面図である。
【図１５】図１１中のＸＶ−ＸＶ線に沿う断面図である。
【図１６】図１５中のＸＶＩ−ＸＶＩ線に沿う断面図である。
【図１７】図１５中の爪部を受入孔に挿通した状態を示す断面図である。
【図１８】カバー部を継手部に装着する手順を示す斜視図である。
【図１９】カバー部の切欠部内に雄口金を受け入れる手順を示す平面図である。
【図２０】図１５中のカバー部を継手部に装着した状態を示す断面図である。
【図２１】カバー部の変形例を示す斜視図である。
【図２２】図２１中のストラップを下方へ向けた状態を示す断面図である。
【発明を実施するための形態】
【００１７】
以下、本発明に係る接続構造の好適な実施形態について、図面を参照しつつ詳細に説明する。説明において、同一要素又は同一機能を有する要素には同一の符号を付し、重複する説明を省略する。
【００１８】
＜水栓装置＞
まず、本実施形態の管接続構造が適用される水栓装置について説明する。図１に示すように、水栓装置１００は、台所の流し台等に設置されるシングルレバー式の湯水混合水栓装置である。水栓装置１００は、混合水栓１１０と、シャワーヘッド１２０とを備える。
【００１９】
混合水栓１１０は、水栓本体部１１１と、２本の導入管１１２Ａ，１１２Ｂと、導出ホース１１３と、レバー１１４とを有する。水栓本体部１１１は、円柱状の外形を呈し、流し台から上方に突出する。水栓本体部１１１は、湯水をそれぞれ受け入れ、混合して送り出す。水栓本体部１１１は、周面から斜め上方に突出する円筒状のシャワーホルダ部１１１ａを有する。
【００２０】
導入管１１２Ａ，１１２Ｂは、水栓本体部１１１から下方に延出しており、湯水をそれぞれ水栓本体部１１１内に導入する。導入管１１２Ａ，１１２Ｂは、流し台の下において、給水配管１３１Ａ及び給湯配管１３１Ｂにそれぞれ接続される。混合水栓１１０は、配管（第１の管）１３１Ａ，１３１Ｂと導入管（第２の管）１１２Ａ，１１２Ｂとの接続部に本実施形態の管接続構造を備える。
【００２１】
導出ホース１１３は、水栓本体部１１１から下方に延出しており、混合水を水栓本体部１１１から導出する。導出ホース１１３は上方に折り返されて水栓本体部１１１内に戻り、シャワーホルダ部１１１ａを通って斜め上方に引き出される。
【００２２】
レバー１１４は、水栓本体部１１１の上部に取り付けられている。鉛直な軸線を中心にレバー１１４を回転させることにより、水栓本体部１１１における湯水の混合比率が調節される。レバー１１４を上下に傾動させることにより、水栓本体部１１１からの混合水の吐出量が調節される。
【００２３】
シャワーヘッド１２０は、導出ホース１１３の先端部に取り付けられている。シャワーホルダ部１１１ａに対する導出ホース１１３の出入により、シャワーヘッド１２０の位置を自在に変えて混合水を吐出させることができる。導出ホース１１３が最もシャワーホルダ部１１１ａ内に入り込んだ状態において、シャワーヘッド１２０の根元部はシャワーホルダ部１１１ａに嵌合し、シャワーヘッド１２０は水栓本体部１１１から斜め上方に突出した状態に保持される。
【００２４】
＜管接続構造＞
続いて、管接続構造について説明する。本実施形態の管接続構造をなす管接続具１は、図２及び図３に示すように、継手部２と、カバー部３とを備える。
【００２５】
（継手部）
継手部２は、配管１３１Ａ，１３１Ｂの端部に取り付けられ、導入管１１２Ａ，１１２Ｂの先端部を受け入れて保持する。以下の説明において、「上下」は、配管１３１Ａ，１３１Ｂ側を下側、導入管１１２Ａ，１１２Ｂを上側とした方向を意味する。導入管１１２Ａ，１１２Ｂは、先端部に雄口金１０を有している。雄口金１０は、例えば真鍮又はステンレス等により構成される。雄口金１０は円筒状を呈し、外周に鍔部１０ａが設けられている。鍔部１０ａよりも先端側において、雄口金１０の外周面には軸方向に並ぶ２本の溝部１０ｂ，１０ｃが形成されている。溝部１０ｂ，１０ｃはそれぞれ雄口金１０の全周に亘っており、Ｏリング１１を収容している。
【００２６】
継手部２は、配管１３１Ａ，１３１Ｂの端部に取り付けられる雌口金２０と、ファスナー２１と、ファスナーケース２２と、ファスナーグリップ２３とを有する。雌口金２０は、例えば真鍮又はステンレス等により構成され、上下方向に沿って延在する円筒状を呈する。雌口金２０の下端部には、配管１３１Ａ，１３１Ｂに装着されるナット部２０ａが設けられている。雌口金２０の外周において軸方向に並ぶ３箇所には、鍔部２０ｂ，２０ｃ，２０ｄがそれぞれ設けられている。鍔部２０ｂは、雄口金１０との接続用であり、雌口金２０の上端部に位置している。鍔部２０ｃ，２０ｄは、後述のファスナーケース２２との位置決め用であり、鍔部２０ｂの下方において軸方向に並んでいる。
【００２７】
雌口金２０には、上方から雄口金１０が挿入され、雄口金１０の鍔部１０ａと雌口金２０の鍔部２０ｂとが重なる。雌口金２０の内周面と雄口金１０の外周面との隙間はＯリング１１により封止される。
【００２８】
図４に示すように、ファスナー２１は、鍔部１０ａ，２０ｂを囲むようにコの字状に折れ曲がった板状部材であり、互いに対向する２枚の対向板部２１ａ，２１ｂと、対向板部２１ａ，２１ｂを繋ぐ連結板部２１ｃとを有する。ファスナー２１は、例えばステンレス板により構成される。対向板部２１ａ，２１ｂの中央部には、水平方向に沿う長方形の開口２１ｄが形成されている。開口２１ｄは、互いに重なった鍔部１０ａ，２０ｂを収容する。雄口金１０の鍔部１０ａと鍔部２０ｂとを共に開口２１ｄ内に拘束することにより、ファスナー２１は雄口金１０を継手部２内に保持する（図３参照）。
【００２９】
対向板部２１ａ，２１ｂの上縁部のうち、開口２１ｄに対応する部分には、逆円錐面状の膨出部２１ｅが形成されている。膨出部２１ｅは、雄口金１０の鍔部１０ａを対向板部２１ａ，２１ｂの間に導く。対向板部２１ａ，２１ｂのうち、連結板部２１ｃの逆側の端部には、連結板部２１ｃから遠ざかるにつれて外側に向かう拡開部２１ｆが形成されている。拡開部２１ｆの上縁には、上方に突出するストッパ部２１ｇが形成されている。以下、ファスナーケース２２等の説明において、「前後左右」は、ファスナー２１の拡開部２１ｆ側を前側、連結板部２１ｃ側を後側とした方向を意味する。
【００３０】
図５及び図６に示すように、ファスナーケース２２は、ファスナー２１の格納部２４と、雌口金２０への取付部２５とを備える。ファスナーケース２２は、例えば、ポリプロピレン、ポリアミド、フッ素系樹脂又はポリエーテルエーテルケトン等により構成される。これらの樹脂の中でも、経済性の観点でポリプロピレン又はポリアミドが好ましく、特にポリプロピレンが好ましい。
【００３１】
格納部２４は後方に開口した直方体形状を呈し、対向板部２１ａ，２１ｂに沿う一対の側壁部２４ａ，２４ｂと、前壁部２４ｃと、天井部２４ｄとを有する。側壁部２４ａ，２４ｂのそれぞれには、前後方向に沿うと共に後方に開放されたスリット２４ｅが形成されている。スリット２４ｅは、後述のファスナーグリップ２３のガイドとして機能する。天井部２４ｄには、雄口金１０を受け入れる開口２４ｆが形成されている。格納部２４の後側において、天井部２４ｄの下面には堤部２４ｇが形成されている（図１０参照）。堤部２４ｇは、ストッパ部２１ｇと係合し、ファスナー２１が格納部２４内から抜けることを防止する。
【００３２】
取付部２５は格納部２４の下側に位置する。取付部２５の上側部分は、格納部２４と同じ方向に向いた直方体形状を呈しており、格納部２４の側面及び後面より外側に張り出している。取付部２５の下側部分は、下方へ向かうに従い徐々に雌口金２０に近づくテーパ状を呈し、その下端部はナット部２０ａの近傍に達している。
【００３３】
図６に示すように、ファスナーケース２２は左右に分割されており、前側の境界部を軸にして貝殻状に開くことが可能となっている。ファスナーケース２２は、雌口金２０を挟むようにして閉じられ、雌口金２０に取り付けられる。取付部２５の内側には、上下方向に並ぶ３箇所の包囲部２５ａ，２５ｂ，２５ｃが設けられている。上側の包囲部２５ａは、雌口金２０の鍔部２０ｃを包囲する。下側の包囲部２５ｂは、鍔部２０ｄとナット部２０ａとの間で雌口金２０を包囲する。中間の包囲部２５ｃは、鍔部２０ｃと鍔部２０ｄとの間に入り込んで雌口金２０を包囲する。これらの包囲部２５ａ，２５ｂ，２５ｃにより、ファスナーケース２２に対する雌口金２０の相対位置が定まり、ファスナーケース２２が雌口金２０に固定される。ただし、雌口金２０の軸線を中心としたファスナーケース２２の回転は可能となっている。このため、導入管１１２Ａ，１１２Ｂと配管１３１Ａ，１３１Ｂとの接続又は分離に際してファスナーグリップ２３（後述）を動かす方向を適宜調節できる。
【００３４】
図７〜図１０に示すように、ファスナーグリップ２３は、ファスナー２１に倣ってコの字状に折れ曲がった板状部材であり、互いに対向する２枚の対向板部２３ａ，２３ｂと、対向板部２３ａ，２３ｂを繋ぐ連結板部２３ｃとを有する。ファスナーグリップ２３は、例えば、ポリプロピレン、ポリアミド、フッ素系樹脂又はポリエーテルエーテルケトン等により構成される。これらの樹脂の中でも、経済性の観点でポリプロピレン又はポリアミドが好ましく、特にポリプロピレンが好ましい。
【００３５】
連結板部２３ｃは、ファスナー２１の連結板部２１ｃの外側に重なり、連結板部２１ｃに固定されている。対向板部２３ａ，２３ｂは、ファスナー２１の対向板部２１ａ，２１ｂにそれぞれ間隙をもって対向している。対向板部２３ａ，２３ｂは、ファスナーケース２２の側壁部２４ａ，２４ｂの外面に被さる。対向板部２３ａ，２３ｂの外面には、カバー部３の保持用の凸部２３ｄが形成されている。対向板部２３ａ，２３ｂの内面には、側壁部２４ａ，２４ｂのスリット２４ｅに嵌合する凸部２３ｅが形成されている（図３参照）。
【００３６】
ファスナーグリップ２３は、スリット２４ｅをガイドとして前後方向に移動自在となっている。ファスナーグリップ２３を把持して前後方向に移動させることにより、ファスナー２１の位置を前後方向にずらすことが可能となっている。ファスナーグリップ２３の後方への移動は、ファスナー２１のストッパ部２１ｇとファスナーケース２２の堤部２４ｇとの係合により規制される。
【００３７】
図９に示されるように、ファスナーグリップ２３及びファスナー２１を最も後側にずらすと、ファスナー２１の開口２１ｄから鍔部１０ａ，２０ｂが抜け出し、ファスナー２１による雄口金１０の保持が解除される。これにより、雄口金１０を継手部２から引き抜くことが可能となる。すなわち、導入管１１２Ａ，１１２Ｂと配管１３１Ａ，１３１Ｂとを分離することが可能となる。
【００３８】
継手部２に雄口金１０が挿入されていない状態でファスナーグリップ２３及びファスナー２１を最も前側に戻すと、雌口金２０の鍔部２０ｂのみが開口２１ｄ内に入った状態となる。この状態で、雄口金１０を継手部２内に挿入すると、雄口金１０の鍔部１０ａがファスナーケース２２の開口２４ｆを通過し、ファスナー２１の膨出部２１ｅの内面に当接する。更に雄口金１０を押し込むと、膨出部２１ｅの逆円錐状の斜面に導かれて鍔部１０ａが下方に移動すると共に、ファスナー２１が弾性変形して広がる。更に雄口金１０を押し込むと、鍔部１０ａが開口２１ｄの位置に到達する。このとき、鍔部１０ａが開口２１ｄに入り込むと共にファスナー２１が弾性復帰する（図４参照）。これにより、雄口金１０が継手部２内に保持され、導入管１１２Ａ，１１２Ｂと配管１３１Ａ，１３１Ｂとが接続される。
【００３９】
なお、ファスナーグリップ２３の対向板部２３ａ，２３ｂの少なくとも一方に、ファスナー２１及び鍔部１０ａ，２０ｂを視認可能とする開口部を設けると共に、この開口部に対応する開口部をファスナーケース２２の側壁部２４ａ，２４ｂの少なくとも一方に設けてもよい。
【００４０】
（カバー部）
図１１〜図１３に示すように、カバー部３は、格納部２４を囲む周壁部３ａと、周壁部３ａの上縁に掛け渡された天井部３ｂとを有する。カバー部３は、例えば、ポリプロピレン、ポリアミド、フッ素系樹脂又はポリエーテルエーテルケトン等により構成される。これらの樹脂の中でも、経済性の観点でポリプロピレン又はポリアミドが好ましく、特にポリプロピレンが好ましい。
【００４１】
カバー部３は、雄口金１０が継手部２内に挿入された状態において、導入管１１２Ａ，１１２Ｂ側から格納部２４に装着される。詳しくは、周壁部３ａが格納部２４及びファスナーグリップ２３に嵌合し、天井部３ｂが格納部２４の天井部２４ｄに重なる。以下、カバー部３の説明における「前後左右」は、格納部２４に装着された状態での方向を意味する。
【００４２】
周壁部３ａの左側部分及び右側部分には、ファスナーグリップ２３の凸部２３ｄに対応する開口３ｃが形成されている。開口３ｃは、カバー部３が格納部２４に完全に装着された状態において、凸部２３ｄを受け入れる。凸部２３ｄが開口３ｃの内面に引っ掛かることにより、カバー部３が格納部２４に装着された状態が維持される。
【００４３】
カバー部３には、周壁部３ａの外側から導入管１１２Ａ，１１２Ｂを受け入れるための切欠き部３ｄが形成されている。切欠き部３ｄは周壁部３ａの前方に開放され、天井部３ｂの中央に至っている。切欠き部３ｄは必ずしも周壁部３ａの前方に開放されていなくてもよく、周壁部３ａの周囲のいずれの方向に開放されていてもよい。切欠き部３ｄは、導入管１１２Ａ，１１２Ｂ側から継手部２に対向する視点で見て、一方向に曲がった軌跡を描いている。一例として、図示の形態では、天井部３ｂの内側に向かうに従って左側に傾くように曲がっている（図１９参照）
【００４４】
天井部３ｂの中央において、切欠き部３ｄの縁部は、導入管１１２Ａ，１１２Ｂを囲む円弧状を呈している。天井部３ｂの中央において、切欠き部３ｄの縁部には、接続確認用の２箇所の凸部３ｅ，３ｆが形成されている。すなわち、管接続具１は、凸部３ｅ，３ｆを更に備えている。凸部３ｅ，３ｆは、ファスナー２１の対向板部２１ａ，２１ｂの間において、雄口金１０を挟むように配置されており、それぞれ下方に突出している。凸部３ｅは雄口金１０の後方に位置する。凸部３ｆは、雄口金１０の前方に位置すると共に、切欠き部３ｄの曲がった軌跡の内周側に位置する。凸部３ｅ，３ｆは、格納部２４の開口２４ｆと雄口金１０との間において上方から格納部２４内に入り込む（図１４参照）。カバー部３が格納部２４に装着された状態において、凸部３ｅ，３ｆの先端の高さは、ファスナー２１の開口２１ｄの上縁に達する。
【００４５】
（連結部）
ここで、管接続具１は、カバー部３と継手部２とを接続する連結部４を更に備えている（図１７参照）。連結部４は、カバー部３から継手部２側に延出するストラップ４０と、継手部２においてストラップ４０を受け入れる受入孔４１とを有する。図１２及び図１３に示すように、ストラップ４０は、周壁部３ａの左前部分に設けられ、下方に延出している。すなわち、ストラップ４０は、切欠き部３ｄの軌跡の内周側に位置している。ストラップ４０は帯状を呈し、その幅方向は前後方向に沿っている。
【００４６】
ストラップ４０の左面には、前後の縁に沿う２本の隆起部４０ａが設けられている。ストラップ４０の右面の先端部には、凸状の爪部４０ｂが設けられている。爪部４０ｂは、２本の隆起部４０ａの間に位置している。ストラップ４０の右面に対する爪部４０ｂの突出高さは、ストラップ４０の先端側へ向かうに従って小さくなっている。
【００４７】
図１１及び図１５に示すように、受入孔４１は、継手部２の取付部２５の上部に設けられている。受入孔４１は、格納部２４より外側に位置しており、上方に開口している。受入孔４１は、ストラップ４０の位置に対応して取付部２５の左前部分に位置しており、ストラップ４０の帯形状に対応して、前後方向に沿うスリット状を呈している。受入孔４１の内面の上部には、上方へ向かうに従い広がるテーパ面４１ａが形成されている。
【００４８】
取付部２５内の前側には、ストラップ４０を収容する収容室４２が形成されており、受入孔４１は収容室４２に繋がっている。上述したように、取付部２５の下側部分はテーパ状を呈している。これに対応し、収容室４２の下側部分の内面には、下方へ向かうに従い雌口金２０に近付くテーパ面４２ａが形成されている。テーパ面４２ａは、ストラップ４０の挿入経路上に位置する。すなわち、収容室４２の内面には、ストラップ４０の挿入経路上に位置すると共に、ストラップ４０の挿入方向に向かうに従って導入管１１２Ａ，１１２Ｂの中心軸線に近付くように傾斜したテーパ面４２ａが形成されている。
【００４９】
ストラップ４０の先端部は、図１５に示すように上方から受入孔４１に挿入される。このとき、ストラップ４０の先端部がテーパ面４１ａに導かれるため、ストラップ４０の先端部と受入孔４１の位置を容易に合わせることができる。ストラップ４０の挿入中には、図１６に示すように、爪部４０ｂがテーパ面４１ａに引っ掛かる。ストラップ４０が更に受入孔４１内に押し込まれると、テーパ面４１ａからの反力によりストラップ４０及び爪部４０ｂが弾性変形し、爪部４０ｂが受入孔４１内に進入する。
【００５０】
爪部４０ｂの逆側には２本の隆起部４０ａにより画された凹部Ｐ１が形成されている。これにより、ストラップ４０を凹部Ｐ１側に変形させて爪部４０ｂを凹部Ｐ１側に退避させることで爪部４０ｂを受入孔４１に容易に挿入できる。また、ストラップ４０に対する爪部４０ｂの突出高さは、ストラップ４０の先端側に向かうに従って小さくなっている。このため、爪部４０ｂが受入孔４１内に更に円滑に導かれ、爪部４０ｂを受入孔４１に更に容易に挿入できる。
【００５１】
図１７に示すように、爪部４０ｂが受入孔４１を通過して収容室４２内に入ると、ストラップ４０及び爪部４０ｂが弾性復帰し、爪部４０ｂが受入孔４１の周縁部に係合する。受入孔４１に挿通された状態で受入孔４１の周縁部に爪部４０ｂが引っ掛かることにより、受入孔４１からのストラップ４０の抜けが防止される。このようにして、継手部２とカバー部３とが繋がる。また、受入孔４１に対するストラップ４０の出入及びストラップ４０の弾性変形により、継手部２に対して着脱されるカバー部３の動きが許容される。
【００５２】
なお、ストラップ４０のうち受入孔４１から上方に延出する部分の長さ（以下、「ストラップ４０の延出長という。）は、爪部４０ｂが受入孔４１の周縁部に引っ掛かった状態において、カバー部３の深さ（周壁部３ａの高さ）に対して大きいことが好ましい。爪部４０ｂが受入孔４１の周縁部に引っ掛かった状態におけるストラップ４０の延出長は、カバー部３に対して１．１〜１．８倍であることが好ましく、１．２〜１．６倍であることがより好ましく、１．３〜１．５倍であることが特に好ましい。１．１倍より小さいと、カバー部３の可動範囲が小さく、カバー部３の着脱作業が困難となるおそれがある。１．８倍より大きいと、ストラップ４０を収容室４２内に収容しきれず、カバー部３を継手部２に完全に装着できないおそれがある。カバー部３を完全に装着できないと、配管１３１Ａ，１３１Ｂと導入管１１２Ａ，１１２Ｂとの接続確認も困難となる。
【００５３】
（カバー部の着脱手順）
続いて、カバー部３の着脱の手順について説明する。カバー部３の着脱は、雄口金１０と雌口金２０との接続及び分離に際して行われる。雄口金１０と雌口金２０とを接続する際には、ストラップ４０を湾曲させて継手部２上からカバー部３を退避させた状態で、継手部２に雄口金１０を挿入する。雄口金１０の挿入が完了すると、カバー部３を継手部２上に戻す。このとき、図１８（ａ）に示すように、導入管１１２Ａ，１１２Ｂを切欠き部３ｄ内に入れる。
【００５４】
上述したように、切欠き部３ｄは、導入管１１２Ａ，１１２Ｂ側から継手部２に対向する視点で見て、一方向に曲がった軌跡を描いており、ストラップ４０はカバー部３の周縁部において上記軌跡の内周側に位置している。これにより、図１９に示すように、雄口金１０側から見てストラップ４０の近傍を中心にカバー部３を回動させることで、雄口金１０を切欠き部３ｄに受け入れることができる。また、雄口金１０を切欠き部３ｄから送り出すときも同様である。すなわち、切欠き部３ｄに対して雄口金１０を出し入れするときに、ストラップ４０の端部を大きく平行移動させる必要がない。このため、ストラップ４０を短縮化し、カバー部３の取り扱い易さを向上させることができる。
【００５５】
カバー部３を継手部２上に配置すると、図１８（ｂ）に示すように、継手部２の格納部２４に雄口金１０側からカバー部３を装着する。カバー部３を格納部２４に装着する途中において、周壁部３ａは凸部２３ｄにより押し広げられて弾性変形する。カバー部３が格納部２４に完全に装着されると、凸部２３ｄの位置と開口３ｃの位置とが一致する。そして、開口３ｃ内に凸部２３ｄが入り込むと共に、周壁部３ａが弾性復帰する。これにより、カバー部３の装着が完了する。
【００５６】
なお、開口３ｃ内に凸部２３ｄが入り込んでいるかどうかを外側から目視確認できるので、カバー部３が格納部２４に完全に装着されたかどうかを確認し易い。この確認し易さを更に向上させるために、ファスナーグリップ２３の他の部分に対して異なる着色を凸部２３ｄに施しておいてもよい。
【００５７】
雌口金２０と雄口金１０との接続が不完全である場合には、カバー部３の装着の途中で凸部３ｅ，３ｆが雄口金１０の鍔部１０ａに突き当たる。雌口金２０と雄口金１０との接続が不完全である場合とは、雄口金１０の鍔部１０ａがファスナー２１の開口２１ｄに入り込んでいないために、雄口金１０が継手部２内に保持されていない場合を意味する。すなわち、雌口金２０と雄口金１０との接続が不完全である場合とは、継手部２から雄口金１０を引き抜くのみで、雌口金２０と雄口金１０とを分離することが可能である状態を意味する。凸部３ｅ，３ｆが鍔部１０ａに突き当たり、カバー部３の装着が妨げられることにより、雌口金２０と雄口金１０との接続が不完全であることが検知される。
【００５８】
凸部３ｅ，３ｆが鍔部１０ａに突き当たった状態で、カバー部３を継手部２側に押すと、雄口金１０の鍔部１０ａが凸部３ｅ，３ｆに押圧されて雌口金２０の鍔部１０ａに接近し、ファスナー２１の開口２１ｄに入り込む。これに伴って、カバー部３が格納部２４に完全に装着される。このように、カバー部３は、雌口金２０と雄口金１０とを完全に接続するための治具としても機能する。なお、凸部３ｅ，３ｆが雌口金２０を挟むように配置されていることから、凸部３ｅ，３ｆに押圧される際の雄口金１０の傾動が抑制され、雄口金１０が雌口金２０にスムーズに挿入される。
【００５９】
カバー部３の装着に際して、ストラップ４０は受入孔４１内に進入するので、カバー部３と継手部２との間におけるストラップ４０の屈曲が防止される。更に、隆起部４０ａによりストラップ４０が補強されているので、ストラップ４０の屈曲がより確実に防止される。このため、ストラップ４０に妨げられることなくカバー部３を装着できる。また、屈曲したストラップ４０がカバー部３及び継手部２の外側に突出して邪魔になることを防止できる。
【００６０】
受入孔４１に進入したストラップ４０は継手部２の収容室４２に収容されるため、カバー部の装着後にストラップが邪魔になることをより確実に防止できる。収容室４２内に収容されたストラップ４０は、図２０に示すように、テーパ面４２ａに導かれて緩やかに湾曲するため、収容室４２内におけるストラップ４０の座屈も防止できる。
【００６１】
雄口金１０と雌口金２０とを分離する際には、以上の手順に対し逆の手順で継手部２の格納部２４からカバー部３を脱離させ、継手部２上からカバー部３を退避させた状態で、雄口金１０を継手部２から引き抜く。このとき、爪部４０ｂが受入孔４１の周縁部に係合することで、受入孔４１からストラップ４０が抜けることが防止され、カバー部３と継手部２とが繋がった状態に保たれる。
【００６２】
このように、本実施形態の管接続構造では、継手部２内に導入管１１２Ａ，１１２Ｂの端部を挿入した後にカバー部３を継手部２に装着することで、導入管１１２Ａ，１１２Ｂと配管１３１Ａ，１３１Ｂとが完全に接続されたかどうかを検知できる。このため、カバー部３を装着する工程を経ることで、導入管１１２Ａ，１１２Ｂと配管１３１Ａ，１３１Ｂとを確実に接続できる。
【００６３】
カバー部３と継手部２とは連結部４により繋がれており、連結部４は継手部２に対して着脱されるカバー部３の動きを許容するので、カバー部３と継手部２とを切り離すことなくカバー部３の着脱を行うことができる。これにより、カバー部３が常に継手部２の近くに配置されるのでカバー部３が確実に作業者の視野に入り、カバー部３の装着忘れが防止される。更に、カバー部３に対する継手部２の向きが連結部４により規制されるので、誤った向きでカバー部３を装着することも防止される。従って、導入管１１２Ａ，１１２Ｂと配管１３１Ａ，１３１Ｂとが完全に接続されたかどうかをより確実に検知できる。
【００６４】
＜変形例＞
続いて、カバー部３の変形例について説明する。図２１に示すカバー部３０は、成形性等を考慮して、ストラップを周壁部から側方に延出させたものである。カバー部３０の周壁部３０ａの左前部分には、平面視で周壁部３ａに比べ窪んだ逃げ部３０ｂが形成されている。逃げ部３０ｂの下部には、周壁部３ａから外側に張り出した支持部５１と、支持部５１から左方に延出したストラップ５０とが設けられている。支持部５１には規制孔５１ａが形成されている。規制孔５１ａは、上下方向に沿って支持部５１を貫通し、前後方向に沿うスリット状を呈している。
【００６５】
左方に突出したストラップ５０は、図２２に示すように、上側に折り曲げられて上方から規制孔５１ａに通され、下側に引き出される。これにより、左方に延出するように成形されたストラップ５０が、ストラップ４０と同様に下方に延出した状態で使用される。以下、ストラップ５０が左側に延出した状態を「成形状態」といい、ストラップ５０が規制孔５１ａを通って下方に延出した状態を「使用状態」という。
【００６６】
図２１及び図２２に示すように、ストラップ５０は、規制孔５１ａを通って下方に延出する本体部５２と、本体部５２の根元側に連なって支持部に繋がった折曲部５３と、本体部５２の先端側に連なるツマミ部５４とを有する。本体部５２は、ストラップ４０と同様に帯状を呈する。本体部５２には、ストラップ４０と同様に爪部４０ｂ及び隆起部４０ａが設けられている。成形状態において、爪部４０ｂは本体部５２の下面に設けられ、隆起部４０ａは本体部５２の上面に設けられている。本体部５２の下面の基端側には、爪部５２ａが形成されている。爪部５２ａは、爪部４０ｂと同様に２本の隆起部４０ａの間に位置している。本体部５２の下面に対する爪部５２ａの突出高さは、本体部５２の先端側へ向かうに従って小さくなっている。
【００６７】
折曲部５３は、補強用の隆起部を有しておらず、均一な薄肉の帯状を呈している。ツマミ部５４は、本体部５２に連なって先端側に延出し、先端が丸まった舌片状を呈している。ツマミ部５４の幅は本体部５２の幅に比べ小さく、ツマミ部５４と本体部５２との段部には斜めの面取りが施されている。ツマミ部５４の表面には、すべり止め用の凹凸パターン５４ａが形成されている。凹凸パターン５４ａは、リブ状の凸部、溝状の凹部、格子状の凸部、格子状の凹部、半円形状の凸部又は半円形状の凹部等により構成できる。
【００６８】
成形状態のストラップ５０を使用状態にするときには、ストラップ５０を上側に曲げてツマミ部５４を規制孔５１ａに挿入し、支持部５１の下側でツマミ部５４を摘まんで本体部５２を下方に引き出す。本体部５２を完全に引き出すと、爪部５２ａが規制孔５１ａを通過して規制孔５１ａの周縁部に係合する。これにより、ストラップ５０が使用状態に保持される。ツマミ部５４の先端が丸まっており、ツマミ部５４の幅が本体部５２の幅に比べ小さいことから、ツマミ部は規制孔５１ａを円滑に通過する。ツマミ部５４と本体部５２との間の段部には斜めの面取りが施されていることから、本体部５２の先端部も規制孔５１ａを円滑に通過する。折曲部５３は、補強用の隆起部を有していないので、本体部５２が引き出されるのに応じて柔軟に曲がる。このため、本体部５２を規制孔５１ａから容易に引き出すことができる。これらのことから、成形状態のストラップ５０を容易に使用状態にすることができる。
【００６９】
以上、本発明の好適な実施形態を説明してきたが、本発明は必ずしも上述した実施形態に限定されるものではなく、その要旨を逸脱しない範囲で様々な変更が可能である。例えば、ストラップは継手部側に設けられてカバー部側に延出していてもよい。この場合、受入孔及び収容室はカバー部に形成される。
【００７０】
継手部とカバー部との連結部は、継手部に対して着脱されるカバー部の動きを許容しつつ、カバー部と継手部とを繋ぐものであればどのようなものであってもよい。一例として、継手部とカバー部の両方に接続されるワイヤ又は鎖等が挙げられる。
【００７１】
上述した管接続構造が適用される水道用装置は、上述した水栓装置に限られず、他の様々な水道用装置に上述した管接続構造を適用可能である。他の水道用装置として、例えば、浴室用の水栓装置、庭用の散水装置及びシャワートイレ等が挙げられる。
【符号の説明】
【００７２】
１…管接続具、２…継手部、３，３０…カバー部、３ｅ，３ｆ…接続確認用の凸部、４…連結部、４０，５０…ストラップ、４０ａ…隆起部、４０ｂ…爪部、４１…受入孔、４２…収容室、１００…水栓装置（水道用装置）、１１２Ａ，１１２Ｂ…導入管（第２の管）、１３１Ａ，１３１Ｂ…配管（第１の管）。
【図１】
2014185745.tif 000003
【図２】
2014185745.tif 000004
【図３】
2014185745.tif 000005
【図４】
2014185745.tif 000006
【図５】
2014185745.tif 000007
【図６】
2014185745.tif 000008
【図７】
2014185745.tif 000009
【図８】
2014185745.tif 000010
【図９】
2014185745.tif 000011
【図１０】
2014185745.tif 000012
【図１１】
2014185745.tif 000013
【図１２】
2014185745.tif 000014
【図１３】
2014185745.tif 000015
【図１４】
2014185745.tif 000016
【図１５】
2014185745.tif 000017
【図１６】
2014185745.tif 000018
【図１７】
2014185745.tif 000019
【図１８】
2014185745.tif 000020
【図１９】
2014185745.tif 000021
【図２０】
2014185745.tif 000022
【図２１】
2014185745.tif 000023
【図２２】
2014185745.tif 000024